(57)【要約】【課題】  着脱可能なキーボードを備えると共に、制御回路を介して状況に応じた望ましい転送モジュールを選択することもできるノートブック型コンピュータを提供する。【解決手段】  ノートブック型コンピュータ１０は、本体１１と、キーボード１２と、赤外線モジュール１２１と、無線ブルートゥースモジュール１２２と、制御回路１２３とを備える。キーボード１２は本体１１に着脱可能に装着される。赤外線モジュール１２１および無線ブルートゥースモジュール１２２はキーボード１２上に設置されて、本体１１と取り外されたキーボード１２との間で信号転送を行う。制御回路１２３は、本体１１と取り外されたキーボード１２との距離を検出する。該距離が所定距離以下の場合には、赤外線モジュール１２１が使用されて、該距離が所定距離を超える場合には、無線ブルートゥースモジュール１２２が使用される。【選択図】  図３
2007183836.tif 000002
【特許請求の範囲】
【請求項１】
本体と、
前記本体に着脱可能に装着されるキーボードと、
前記キーボード上に設置されて、前記本体と前記キーボードとの間で信号の転送を行う赤外線モジュールと、
前記キーボード上に設置されて、前記本体と前記キーボードとの間で信号の転送を行う無線ブルートゥースモジュールと、
前記本体と取り外された前記キーボードとの距離を検出し、該距離が所定距離以下の場合には前記赤外線モジュールが使用されて、該距離が前記所定距離を超える場合には前記無線ブルートゥースモジュールが使用されるようにする制御回路と、
を含むノートブック型コンピュータ。
【請求項２】
前記キーボードは、充電式バッテリを含む請求項１記載のノートブック型コンピュータ。
【請求項３】
前記キーボードは、前記本体に接続されて、前記充電式バッテリを充電するために接続されるコネクタプラグをさらに含む請求項２記載のノートブック型コンピュータ。
【請求項４】
前記本体が、前記キーボードを前記本体から取り外すために利用されるイジェクトボタンを含む請求項１記載のノートブック型コンピュータ。
【請求項５】
本体と、
前記本体に着脱可能に装着されるキーボードと、
を含むノートブック型コンピュータ。
【請求項６】
前記キーボードと前記本体との間で信号の転送を行う赤外線モジュールおよび無線ブルートゥースモジュールをさらに含む請求項５記載のノートブック型コンピュータ。
【請求項７】
前記赤外線モジュールおよび前記無線ブルートゥースモジュールが前記キーボード上に設置される請求項６記載のノートブック型コンピュータ。
【請求項８】
前記赤外線モジュールと前記無線ブルートゥースモジュールとの間で切替を行う制御回路をさらに含む請求項６記載のノートブック型コンピュータ。
【請求項９】
前記制御回路は前記キーボード上に設置される請求項８記載のノートブック型コンピュータ。
【請求項１０】
前記キーボードは充電式バッテリを含む請求項５記載のノートブック型コンピュータ。
【請求項１１】
前記キーボードはコネクタプラグを含む請求項５記載のノートブック型コンピュータ。
【請求項１２】
前記本体が、前記キーボードを前記本体から取り外すために利用されるイジェクトボタンを含む請求項５記載のノートブック型コンピュータ。
【発明の詳細な説明】
【技術分野】
【０００１】
本発明は、ノートブック型コンピュータに関し、より詳細には着脱可能なキーボードを備えたノートブック型コンピュータに関する。
【背景技術】
【０００２】
図１は従来のノートブック型コンピュータを図示したものである。このノートブック型コンピュータは、モニターおよびキーボードで構成されており、キーボードがノートブック型コンピュータの主体部に固定されているものが主流である。ところが、このようなノートブック型コンピュータを机上で使用する際、キーボードが机に対し水平に置かれるため、ユーザが長時間にわたって手首を無理に伸ばしておかなくてはならない。その結果、手首、そして腕を痛める可能性があり、肩や首の凝りも生じてしまうであろう。また、ユーザが外部接続の液晶ディスプレイ等をノートブック型コンピュータに接続して使用する際に、ノートブック型コンピュータのディスプレイを、外部接続のディスプレイの視野を妨げないように配置しようとすると、どうしてもキーボードの配置を最適化することができず不便であった。
【発明の開示】
【発明が解決しようとする課題】
【０００３】
上述に鑑みて、本発明の目的は、着脱可能なキーボードを備えると共に、制御回路を介して状況に応じた望ましい転送モジュールを選択することもできるノートブック型コンピュータを提供することを課題とする。
【課題を解決するための手段および発明の効果】
【０００４】
すなわち、上記課題を解決するために、本発明は、本体と、前記本体に着脱可能に装着されるキーボードと、前記キーボード上に設置されて前記本体と前記キーボードとの間で信号の転送を行う赤外線モジュールと、前記キーボード上に設置されて前記本体と前記キーボードとの間で信号の転送を行う無線ブルートゥースモジュールと、前記本体と取り外された前記キーボードとの距離を検出し、該距離が所定距離以下の場合には前記赤外線モジュールが使用されて、該距離が前記所定距離を超える場合には前記無線ブルートゥースモジュールが使用されるようにする制御回路と、を含むことを特徴とする。
【０００５】
前記キーボードが充電式バッテリを含むことが望ましい。
【０００６】
前記キーボードが、前記本体と接続して前記充電式バッテリを充電するコネクタプラグをさらに含むことが望ましい。
【０００７】
前記本体が、前記キーボードを前記本体から取り外すのに用いられるイジェクトボタンを含むことが望ましい。
【０００８】
また、本発明は、本体と、前記本体に着脱可能に装着されるキーボードと、を含むノートブック型コンピュータによる。
【０００９】
前記キーボードと前記本体との間で信号の転送を行う赤外線モジュールおよび無線ブルートゥースモジュールをさらに含むことが望ましい。
【００１０】
前記赤外線モジュールおよび前記無線ブルートゥースモジュールが前記キーボード上に設置されることが望ましい。
【００１１】
前記赤外線モジュールと前記無線ブルートゥースモジュールとの間で切替を行う制御回路をさらに含むことが望ましい。
【００１２】
前記制御回路が前記キーボード上に設置されることが望ましい。
【００１３】
前記キーボードが充電式バッテリを含むことが望ましい。
【００１４】
前記キーボードがコネクタプラグを含むことが望ましい。
【００１５】
前記本体が、前記キーボードを前記本体から取り外すのに用いられるイジェクトボタンを含むことが望ましい。
【００１６】
本発明に係るノートブック型コンピュータは、キーボードが本体から着脱可能であるため、ユーザが従来のノートブック型コンピュータのキーボードを使用する時のように手首を無理に伸ばす必要がなくなり、手、首、肩への負担を軽減することができる。また、転送モジュールを適宜切り替えることによって、取り外されたキーボードを本体から離れた場所でも使用することができるので便利である。さらに、本体付近で使用する際には省電力の転送モジュールに切り替えればよいので、ノートブック型コンピュータの消費電力低減も実現される。
【発明を実施するための最良の形態】
【００１７】
本発明は、着脱可能なキーボード１２を備えるノートブック型コンピュータ１０を提供する。該ノートブック型コンピュータ１０は、本体１１と、キーボード１２と、赤外線モジュール１２１と、無線ブルートゥースモジュール１２２と、制御回路１２３とで構成される。キーボード１２は、本体１１に着脱可能に装着される。赤外線モジュール１２１および無線ブルートゥースモジュール１２２はキーボード１２上に設置されて、本体１１と取り外されたキーボード１２との間で信号の転送を行う。制御回路１２３は、本体１１と取り外されたキーボード１２との間の距離を検出する。該距離が所定距離以下の場合、信号の転送に赤外線モジュール１２１が使用され、一方、該距離が設定距離を超える場合には、信号の転送に無線ブルートゥースモジュール１２２が使用されることとなる。
【００１８】
また、キーボード１２はさらに充電式バッテリ１２４およびコネクタプラグ１２５を備える。コネクタプラグ１２５は本体１１と接続して充電式バッテリ１２４を充填する。
【００１９】
さらに、本体１１は、本体１１からキーボード１２を取り外すために用いられるイジェクトボタン１１１をさらに含む。
【００２０】
本発明の前述およびその他の目的、特徴ならびに長所を一層明らかとするため、以下に、添付の図面と対応させながら好ましい実施形態を挙げて本発明をより詳細に説明する。
【００２１】
図２および図３に示すように、本発明に係るノートブック型コンピュータ１０は、本体１１、キーボード１２、赤外線モジュール１２１、無線ブルートゥースモジュール１２２および制御回路１２３とから構成される。本体１１に着脱可能に装着されるキーボード１２は、赤外線モジュール１２１、無線ブルートゥースモジュール１２２および制御回路１２３の全てを備えている。
【００２２】
赤外線モジュール１２１および無線ブルートゥースモジュール１２２のいずれも、キーボード１２と本体１１間に信号転送を行い得るものであるが、まずキーボード１２を取り外した時には、制御回路の初期設定により赤外線モジュール１２１を使用するようにしている。制御回路１２３は、本体１１と取り外されたキーボード１２との間の距離ｄ１を検出すると共に、無線ブルートゥースモジュール１２２または赤外線モジュール１２１のいずれかを使用するように選択する。
【００２３】
図３を参照するとわかるように、本体１１はイジェクトボタン１１１およびスロット１１２をさらに備えている。そして、キーボード１２は充電式バッテリ１２４およびコネクタプラグ１２５をさらに備えている。キーボード１２を本体１１に装着して使用する際、コネクタプラグ１２５を本体１１のスロット１１２と接続することで、キーボード１２の充電式バッテリ１２４は充電される。イジェクトボタン１１１を下方に押下すると、キーボード１２が本体１１から取り外されることとなる。
【００２４】
キーボード１２が本体１１から取り外されると、取り外されたキーボード１２上の制御回路１２３によって本体１１と取り外されたキーボード１２間との距離ｄ１が検出される。図４に示されるように、距離ｄ１が所定距離ｄｐを超える場合、取り外されたキーボード１２は赤外線モジュール１２１から無線ブルートゥースモジュール１２２へと切り替えて信号転送を行う。一方、距離ｄ１が所定距離ｄｐ以下の場合には、取り外されたキーボード１２は赤外線モジュール１２１を継続使用する。また、取り外されたキーボード１２１の位置をさらに移動させると、制御回路１２３は再び距離ｄ１の検出を行って、得られた距離ｄ１と設定距離ｄｐとを比較し、いずれの転送モジュールを使用するかの判定する。
【００２５】
注目すべきなのは、本発明においては、人間工学的に望ましい位置にキーボード１２を調整できるよう、例えばフットスタンド等の調整装置をキーボード１２上に設置できる点である。このような調整装置は当関連分野では周知であるので、ここでは詳述しない。
【００２６】
着脱可能なキーボード１２および切替可能な転送モジュールは本発明の主要部分である。着脱可能なキーボード１２は、人間工学に適うように調整が可能であり、手、首そして肩への損傷リスクを低減することができる。その上、取り外されたキーボード１２は、本体１１からかなり離れた位置においても、無線ブルートゥースモジュール１２２を使用して信号を転送することにより使用可能である。それに加え、取り外されたキーボード１２が本体１１付近にあるときには、再び転送モジュールを省電力である赤外線モジュール１２１の方に切り替えるので、ノートブック型コンピュータ１０の消費電力を低減させることができると共に、ノートブック型コンピュータ１０の使用がより便利となる。
【００２７】
本発明を望ましい実施形態によって以上のように開示したが、これは本発明に限定を設けるものではなく、当業者であれば明らかであろうので、本発明の精神と範囲を逸脱しない限りにおいて変更および修正を施すことができる。よって、本発明の保護範囲は、添付の特許請求の範囲で定義されたものが基準とされる。
【図面の簡単な説明】
【００２８】
【図１】従来のノートブック型コンピュータの説明図である。
【図２】本発明の１実施形態によるノートブック型コンピュータの説明図である。
【図３】本発明の１実施形態によるノートブック型コンピュータであって、キーボードが取り外された状態の説明図である。
【図４】本発明の１実施形態によるノートブック型コンピュータの制御回路のフローチャートである。
【符号の説明】
【００２９】
１０        ノートブック型コンピュータ
１１        本体
１１１       イジェクトボタン
１１２       スロット
１２        キーボード
１２１       赤外線モジュール
１２２       無線ブルートゥースモジュール
１２３       制御回路
１２４       充電式バッテリ
１２５       コネクタプラグ
ｄ１              距離
ｄｐ              所定距離
【図１】
2007183836.tif 000003
【図２】
2007183836.tif 000004
【図３】
2007183836.tif 000005
【図４】
2007183836.tif 000006